(57)【特許請求の範囲】
【請求項１】
直径が０．５〜１０μｍの多孔質マイクロカプセルにハーブ香料を内包させ、該多孔質マイクロカプセルを皮革のコラーゲン繊維組織の間に侵入分散させてなる芳香性皮革。
【請求項２】
前記ハーブ香料がハーブ植物を原料として作られた精油である請求項１に記載の芳香性皮革。
【請求項３】
前記マイクロカプセルの微細孔の大きさが２０〜６０Åである請求項１又は２に記載の芳香性皮革。
【請求項４】
直径が０．５〜１０μｍの多孔質マイクロカプセルにハーブ香料を内包させ、なめし処理後の皮革を前記多孔質のマイクロカプセルと共に揉み処理し、該マイクロカプセルを前記皮革のコラーゲン繊維組織内に侵入分散させる芳香性皮革の製造方法。
【請求項５】
前記マイクロカプセルの微細孔の大きさが２０〜６０Åである請求項４に記載の芳香性皮革の製造方法。
【発明の詳細な説明】
【０００１】
【発明の属する技術分野】
本発明は芳香性皮革およびその製造方法に関し、さらに詳しくは、ハーブの芳香性を長期間保持させるように付与した芳香性皮革とその製造方法に関する。
【０００２】
【従来の技術】
皮革は、原皮（生皮、塩蔵皮など）からなめし処理、染色・加脂処理、仕上げ処理などの多数の処理を施すことにより、初めて衣料、靴、カバンなどの製品の加工に供することができる状態になる。しかしながら、このように多数の処理工程を経ながら、皮革には独特の臭いがあり、この皮の臭いが特定の人々には必ずしも好まれていないため、特に高級品分野への用途展開に対してネックになっていた。
【０００３】
本発明者は、このような皮の臭いを消失させる対策を多面的に検討した結果、ハーブ抽出液で皮革を処理すると、その臭いを消失させることができることを知見した。しかしながら、このようにハーブ抽出液で処理した皮革は、他の皮製品と一緒に保管しておくと、再びその皮製品の皮の臭いを吸着するという特性があり、臭いの消失効果は一時的なものにしかできなないという欠点があった。
【０００４】
【発明が解決しようとする課題】
本発明の目的は、皮独特の臭いを消失するだけでなくハーブの芳香性を永続的に持続させ、他の皮製品の臭いを再び吸着しないようにする芳香性皮革およびその製造方法を提供することにある。
【０００５】
【課題を解決するための手段】
本発明による芳香性皮革は、直径が０．５〜１０μｍの多孔質マイクロカプセルにハーブ香料を内包させ、該多孔質マイクロカプセルを皮革のコラーゲン繊維組織の間に侵入分散させてなることを特徴とするものである。
このようにハーブ香料を内包した多孔質マイクロカプセルをコラーゲン繊維組織に侵入分散させたので、皮革内にマイクロカプセルを半永久的に定着させ、ハーブ香料を少しずつ放出するので皮革に芳香性が付与され、しかもその芳香性を長期間永続させることができる。このため他の皮製品と一緒に保管しても、その皮製品の臭いが移って吸着しないようにすることができる。
【０００６】
本発明による芳香性皮革の製造方法は、直径が０．５〜１０μｍの多孔質マイクロカプセルにハーブ香料を内包させ、なめし処理後の皮革を前記多孔質のマイクロカプセルと共に揉み処理し、該マイクロカプセルを前記皮革のコラーゲン繊維組織内に侵入分散させることを特徴とするものである。
このようにコラーゲン繊維相互がほぐされた状態になったなめし処理後の皮革にマイクロカプセルと共に揉み処理を施すことにより、マイクロカプセルをコラーゲン繊維組織内部に奥深く侵入させ定着させることができる。処理後の皮革にはハーブ芳香性が付与され、しかもそれを永続的に持続させるようにすることができる。
【０００７】
【発明の実施の形態】
図１は、本発明の芳香性皮革に使用される多孔質マイクロカプセルの一例を示す断面図である。
多孔質のマイクロカプセル１は、内部に中空部１ａを有すると共に、その周囲を微多孔質の外殻１ｂに取り囲まれた球状に形成されている。このように形成されたマイクロカプセル１は、中空部１ａの中および外殻１ｂの微多孔空隙中に、それぞれハーブ香料が溶解された精油ｐを内包している。
【０００８】
本発明の芳香性皮革は、図２に例示するように、図１のようにハーブ香料を内包した多孔質のマイクロカプセル１が、皮革３のコラーゲン繊維２の組織内に侵入し、かつこれら多数のマイクロカプセル１が皮革３全体に広く分布した状態になるように構成されている。
このように皮革３におけるコラーゲン繊維２の組織内に侵入分散したマイクロカプセル１は、コラーゲン繊維間に保持されているため、外力によって簡単に脱落することがなく、かつ外殻１ｂの微細孔を通してハーブ香料を徐々に放出する。したがって、その芳香性が付与され、皮革３が本来有していた皮の臭いを消失する。しかも、その芳香性を長期間永続させることができるので、他の皮製品と一緒にしても、再び皮の臭いを吸着することがない。
【０００９】
本発明において、マイクロカプセルを構成する材料は、ハーブ香料に対して不活性な無機材料を使用することが好ましい。このような無機材料としては、例えは炭酸カルシウム，炭酸バリウムなどのアルカリ土類金属炭酸塩；珪酸カルシウム，珪酸マグネシウムなどのアルカリ土類金属珪酸塩；酸化鉄，シリカ，アルミナ，酸化銅，酸化コバルト，酸化ニッケルなどの金属酸化物などを挙げることができる。その他に炭酸コバルト，炭酸ニッケル，塩基性炭酸銅，水酸化アルミニウムなども使用することができる。
【００１０】
本発明に使用する多孔質マイクロカプセルは、上記のように無機材料の微粉末を球状に集合させて形成したものである。その内部形態は、図１に例示するように内部に中空部を形成し、多孔質の外殻で囲まれた球状体に形成されたものが、多量のハーブ香料の精油を内包できるため好ましいが、このような中空部を形成せずに全体が多孔質構造体に構成されたものであっても、その多孔質の空隙内にハーブ香料の精油を包含できるので使用することができる。
【００１１】
この多孔質マイクロカプセルの製造方法としては、例えば特公昭５７−５５４５４号公報に記載されるように、珪酸ナトリウム等の水溶性無機化合物の水溶液と水に対する溶解度が５％以下の有機溶媒とを混合して調整したＷ／Ｏ型乳濁液を作り、この乳濁液中の上記無機化合物と反応して水不溶性沈澱を生成する水溶解性無機化合物の水溶液と、上記乳濁液とを混合することにより、この乳濁液を構成するエマルジョン粒子の大きさ及び形態をそのまま受け継いだ微小球を製造することができる。また、特公昭５５−３７４９２号公報などに開示される製造方法によるものが好ましく使用される。
【００１２】
本発明において使用されるマイクロカプセルの大きさは、図１に示す直径ｄが０．５〜１０μｍの範囲、より好ましくは０．５〜５μｍの範囲であることが望ましい。マイクロカプセルをこのような大きさにすることにより、皮革のコラーゲン繊維組織の内部に効率よく侵入分散させることができる。
直径が０．５μｍよりも小さいマイクロカプセルは、製造することが実質的に困難である。また、直径が１０μｍよりも大きいと、皮革のコラーゲン繊維組織に奥深く侵入させることが難しくなり、皮革表面部分に付着した状態になりやすいため、ハーブ芳香の永続的な持続が難しくなり、また皮革表面が白濁して外観悪化を招くようになる。
【００１３】
また、マイクロカプセルの外殻に形成される微細孔の大きさ（径）は、２０〜６０Åの範囲にすることが好ましい。外殻の微細孔が２０Åよりも小さいとと、ハーブ香料を放出しにくくするため、芳香性の付与効果が難しくなる。また、６０Åよりも大きくなると芳香の放出速度が速くなり、長期間芳香性を持続させることが難しくなる。
【００１４】
本発明に使用するハーブ香料としては、その形態は特に限定されないが、好ましくは精油にして使用することが好ましい。ハーブ香料をマイクロカプセルに内包させる方法としては、ハーブ香料が配合された精油を中空多孔質マイクロカプセルを構成する外殻の微細孔から浸入させ封入するようにすればよい。
ハーブ植物を原料とする精油の作り方には、水蒸気蒸留法、圧搾法、溶剤抽出法などがあり、いずれの方法で製造したものでもよい。
【００１５】
水蒸気蒸留法による精油は、ハーブ植物をそのまま或いは粉末状に砕いて釜に入れ、下から水蒸気を吹き込んで香料成分を気化上昇させ、その蒸気を管に集めて冷却し、液化させて得るようにしたものである。一般に精油は水の比重よりも軽いので、上澄みになって浮くため、それを捕集するようにする。
圧搾法による精油は、ハーブ植物を直接押しつぶして香料成分を絞り出すことにより得られるものである。
【００１６】
溶剤抽出法による精油は、ハーブ植物をエーテルやヘキサンなどの揮発性溶剤に浸漬して香料成分を抽出し、この抽出液から溶剤のみを揮発させて固形物を得、この固形物を再びアルコール溶剤に溶かして精油成分を分離し、これからアルコールをとばして最終的に精油だけ残すようにして得られるものである。
上述のようにして得られた精油は、ハーブの有効成分を濃縮したものであるので、原則として原液のままで使用することはなく、一般には植物油を基剤としてこの基剤に０．３〜２．５％程度を混合した希釈液にして使用することが望ましい。
【００１７】
本発明に使用するハーブとしては、特に限定されるものではないが、例えばコリンアンダー、ローズマリー、タイム、ハイビスカス、レモングラス、マリーゴールド、オレガノ、ペパーミント、ジャーマンカモミール、サフラワー、ラベンダー、カモマイル、クローブ、セージ、ゼラニウム、バジル、フェンネル、マジョラムなどを挙げることができる。
【００１８】
本発明の芳香性皮革の製造方法は、なめし処理後の皮革を使用し、この皮革を上述のようにハーブ香料を内包したマイクロカプセルと共に揉み処理を行うようにする。このようになめし処理後の皮革に対して揉み処理を行うことにより、マイクロカプセルを効率よくコラーゲン繊維組織の奥深くに侵入させることができる。
【００１９】
なめし処理前の皮はコラーゲン繊維が複雑に絡み合っているので、このようななめし処理前の皮にマイクロカプセルと共に揉み処理を行っても、コラーゲン繊維組織内にマイクロカプセルを奥深く侵入させることは難しい。なめし処理とは、原皮（生皮，塩蔵皮など）から肉片や毛，脂肪，表皮層などを取り除き、それを石灰（アルカリ）で処理してコラーゲン繊維のからみ合いをほぐし、その後にコラーゲン繊維にクロムなめし剤および／または植物性なめし剤などを結合させて耐久性を与えるようにすることである。したがって、なめし処理後の皮革はコラーゲン繊維の相互が十分に解きほぐされており、マイクロカプセルを容易に浸入させることができる。
【００２０】
本発明において、マイクロカプセルと共に皮革に与える揉み処理は、その形式は特に限定されないが、皮革に衝撃および／または剪断力を与えるような処理であればよい。
例えば、皮革の製造工程の石灰漬け処理や浸酸処理などに従来から使用されている回転ドラムを使用し、この回転ドラムに皮革とマイクロカプセルとを投入して連続的に回転させる方法が最も簡単で最適である。ドラムの回転によって皮革とマイクロカプセルがドラム内周面を上昇したり、落下する動作を繰り返して揉み操作が与えられ、それによってマイクロカプセルが皮革に均一にまぶし込まれると共に、コラーゲン繊維の組織内に深く浸透していく。
【００２１】
このようにしてコラーゲン繊維の組織内に侵入したマイクロカプセルは、外力が加えられても簡単には脱落することがないように定着する。したがって、皮革にハーブ芳香性が与えられて皮本来の臭いが消失し、かつハーブ香料は中空多孔質マイクロカプセルから少しずつ放出されるため芳香性を長期間持続させ、他の皮革製品と一緒に保管しても、その臭いを吸着することはない。
【００２２】
【発明の効果】
上述したように、本発明の芳香性皮革は、ハーブ香料を内包した多孔質マイクロカプセルをコラーゲン繊維組織に侵入分散させた構成にしたので、皮革内にマイクロカプセルを半永久的に定着させてハーブ香料を少しずつ放出するので皮革に芳香性が付与され、しかもそのハーブ芳香を長期間永続させることができる。このため他の皮製品と一緒に保管しても、その革製品の臭いが吸着移行しないようにすることができる。
【００２３】
また、本発明の芳香性皮革の製造方法は、なめし処理後の皮革をハーブ香料を内包した多孔質マイクロカプセルと共に揉み処理するため、そのマイクロカプセルをコラーゲン繊維組織の内部に奥深く侵入させて定着させるようにすることができ、それによってハーブ芳香性を付与させ、しかもそれを永続的に持続させることができる。
【図面の簡単な説明】
【図１】本発明の芳香性皮革に使用されるマイクロカプセルの一例を示す縦断面図である。
【図２】本発明の芳香性皮革を例示する要部断面図である。
【符号の説明】
１  （多孔質の）マイクロカプセル
１ａ  中空部
１ｂ  外殻
２  コラーゲン繊維
３  皮革
ｐ  （ハーブ香料の）精油
【図１】
0003615882.tif 000002
【図２】
0003615882.tif 000003